(57)【要約】【課題】  ライブビューイング会場等で使用する際に一体感のある演出を行うことのできる携帯発光装置を提供する。【解決手段】  使用者が身体に装着し、演出に応じて発光させる携帯発光装置Ａであって、発光体２１が取り付けられた本体１０と、マイクロホン２４と、マイクロホン２４が感知した音に基づいて発光体２１の発光を制御する制御部２２と、発光体２１、マイクロホン２４、制御部２２を駆動するための携帯可能な電源２３とを備え、マイクロホン２４が感知した会場の音声に合わせて発光体２１を発光させる。【選択図】図１
2015038820.tif 000002
【特許請求の範囲】
【請求項１】
使用者が身体に装着、または、身体で保持し、演出に応じて発光させる携帯発光装置であって、
発光体が取り付けられた本体と、
マイクロホンと、
前記マイクロホンが感知した音に基づいて前記発光体の発光を制御する制御部と、
前記発光体、前記マイクロホン、前記制御部を駆動するための携帯可能な電源とを備えたことを特徴とする携帯発光装置。
【請求項２】
前記携帯発光装置がリストバンド、ワッペン、ペンライトのいずれかである請求項１に記載の携帯発光装置。
【請求項３】
前記制御部は、音圧レベルに応じて発光体の明滅を制御するための調整手段を備える請求項１または請求項２に記載の携帯発光装置。
【請求項４】
前記制御部は、前記マイクロホンの受信レベルが６５デシベル以上の音圧レベルを感知するように調整される請求項３に記載の携帯発光装置。
【請求項５】
前記制御部は、前記マイクロホンが受信する音圧レベルに応じて発光体の発光輝度を調光する調光手段をさらに備える請求項３または請求項４に記載の携帯発光装置。
【請求項６】
請求項１〜５のいずれかの携帯発光装置を会場内で多数用いた演出方法であって、
会場に設置された音源からの音を各携帯発光装置の各マイクロホンが感知するとともに、感知された音に基づいて各制御部により各発光体を発光させる演出方法。
【請求項７】
前記会場がライブビューイングの会場である請求項６に記載の演出方法。
【発明の詳細な説明】
【技術分野】
【０００１】
本発明は、ライブビューイングのイベント会場等で観客が個々に携帯し、イベントの演出に連動して発光させることにより楽しむ携帯発光装置に関する。具体的には、観客がそれぞれ身につけるリストバンド、ワッペン、手で持つペンライト等であって、ＬＥＤ等の発光体が搭載された携帯発光装置に関する。
また、本発明は上記の携帯発光装置を用いて行われるライブビューイング等の演出方法に関する。
【背景技術】
【０００２】
近年、ライブコンサート会場等の観客席において、舞台での演出に連動して各観客が持つペンライト等を光らせて、会場全体で光を明滅させることにより一体感を味わえる効果をねらった演出方法が採用されている。
そのような演出方法に用いられる携帯発光装置としては、イベント会場において、所定の場所に設置された発光状態制御装置（コンピュータ装置）と連動するようにしたものが知られている。すなわち、携帯発光装置は発光状態制御装置から付与されたイベント会場内における固有のアドレスを有し、発光状態制御装置から無線によるアドレス信号と発光態様信号に基づいて発光するようにしてある（特許文献１）。
【０００３】
また、上記の携帯発光装置ではイベント会場において通信障害が発生したとき、発光態様の信号を受信することができなくなる。そのため、演出態様を制御する端末演出制御データを携帯発光装置側で他の通信装置から取得して記憶させておき、これを読み出して実行するようにしたイベント用の端末装置も開示されている（特許文献２）。
【先行技術文献】
【特許文献】
【０００４】
【特許文献１】特開２００３−０３６９８１号公報
【特許文献２】特開２０１３−００４３２３号公報
【発明の概要】
【発明が解決しようとする課題】
【０００５】
特許文献１，２に開示されている携帯発光装置による演出方法は、イベント会場で行われる演出内容に沿って、（例えば音楽に合わせて）点滅するような発光態様データを事前にプログラミングしておき、これをイベント実施中にリアルタイムで、あるいは、イベント開始前に予め送信することで、所望の発光態様で携帯発光装置を発光させる仕組みにしている。
【０００６】
ところで、最近では、ライブコンサート会場で実演中の舞台を撮影し、ライブコンサート会場からは遠隔地となる別の会場（例えば複合シネマコンプレックスの映画館等）で当該ライブコンサートを同時放映する、いわゆる「ライブビューイング」が行われることがある。このライブビューイングの観客達も、ペンライトなどのイベントグッズをライブビューイングの会場に持ち込んで、スクリーン映像を見ながら楽しむことができるようにしている。
しかし、ここで使用されるペンライト等は、点滅させることはできても、ライブコンサート会場での光るイベントグッズとは異なり、発光状態制御装置の無線信号を受けてこれと同期して明滅するものではない。そのため、ライブビューイング会場では、ライブコンサート会場との一体感がなく、盛り上がりに欠ける状況であることは否めない。
【０００７】
もちろん、ライブビューイングの会場において、ライブコンサート会場と同じように発光態様データを観客に無線送信できる体制を確保しておけば、理屈上は、ライブコンサート会場のイベントグッズに同期してペンライト等を点滅させることができることになる。
しかしながら、そのためにはライブビューイング会場とライブコンサート会場との間で発光態様データを受け渡しする通信設備が必要になり、そのための作業に慣れた人員も必要になる。また、ライブコンサート会場で急にイベント内容の変更があった場合に、プログラミングされた発光態様データも、それに応じて迅速に変更する必要が生じることになる。このようなことから、実際上、ライブコンサート会場と同期させてライブビューイングの会場でも点滅させるようなことは非常に困難である。特に、ライブビューイングを行う複合シネマコンプレックス等の会場が複数あるような場合には、全ての会場で設備や人員を用意しておくことは困難である。
【０００８】
そこで本発明は、ライブコンサートを同時放映するライブビューイングの会場においても、特に発光態様のデータを通信する通信設備を使用することなく、光るイベントグッズとしての携帯発光装置を用いて、ライブコンサート会場と同期させた発光を行うことができるようにして、一体感のある演出効果が得られる携帯発光装置を提供することを目的とする。
また、本発明はライブビューイングの会場においても、特に発光態様のデータを無線通信する通信設備を使用することなく、携帯発光装置を用いてライブコンサート会場と同期した発光を楽しむことができる演出方法を提供することを目的とする。
【０００９】
以上は、ライブコンサート会場から離れた場所で行われるライブビューイングの会場での演出について説明した。これ以外に、本来のライブコンサート会場においてもスケジュールどおりにイベント進行することが困難な演出や、当初からハプニング的な演出が組み込まれたイベントの場合のように予め発光態様データを用意することが困難な場合もある。そのような場合においても、現実に行われている実演状況に対応した発光態様で楽しむことができる携帯発光装置を提供することを目的とする。またそのような演出方法を提供することを目的とする。
【課題を解決するための手段】
【００１０】
上記課題を解決するために本発明では次のような技術的手段を講じた。すなわち本発明の携帯発光装置は、使用者が身体に装着、または、身体で保持し、演出に応じて発光させる携帯発光装置であって、発光体が取り付けられた本体と、マイクロホンと、前記マイクロホンが感知した音に基づいて前記発光体の発光を制御する制御部と、前記発光体、前記マイクロホン、前記制御部を駆動するための携帯可能な電源とを備えるようにしてある。
本発明によれば、観客が装着したり保持したりする携帯発光装置にはマイクロホンが内蔵してあり、イベントが行われる会場で発生する音楽等の音を感知する。そして感知した音に基づいて発光体を明滅する。これによりコンピュータ装置から送信される発光態様のデータをイベント中に携帯発光装置側が無線受信したり、あるいは発光態様のデータを予め受信して携帯発光装置に記憶させておいたりすることなく、現在の会場の音楽等に同期して会場全員の携帯発光装置を発光させることができる。したがって発光態様データのプログラミングの必要がなくなり、また、ハプニング的な演出であっても何の問題もなく、観客全体の携帯発光装置を音に合わせて一体的に発光させることができる。
【００１１】
ここで使用される携帯発光装置としては、リストバンド、ワッペン、ペンライト等が好ましい。これらは観客が装着したり保持したりするイベントグッズとして手軽に用意することができる。
なかでもリストバンドは手で持つ必要がなく（したがって誤って落とすこともなく）、手を自由に動かすことで発光体も自由に動かせるので、本発明の携帯発光装置としては好適である。
【００１２】
制御部は、音圧レベルに応じて発光体の明滅を制御するための調整手段を備えるようにしてもよい。これにより、本発明の携帯発光装置が用いられる用途に応じて、携帯発光装置の感知レベルを調整しておくことができる。
【００１３】
また、制御部は、マイクロホンの受信レベルが６５デシベル以上の音圧レベルを感知するように調整するのが好ましい。これにより、小さな物音や人の話し声等のノイズに反応した発光を確実に抑えることができる。
【００１４】
また、制御部は、マイクロホンが受信する音圧レベルに応じて発光体の発光輝度を調光する調光手段をさらに備えてもよい。これにより、音圧レベルが感知レベル以上のときに一定の発光輝度で点灯するだけでなく、その音圧レベルに応じて発光輝度を調光して点灯させるができ、音の強弱に合わせて発光輝度が変化するので、さらに優れた演出効果を得ることができる。
【００１５】
また、別の観点からなされた本発明の演出方法は、上記携帯発光装置を用いた演出方法であって、所定の会場に設置された音源からの音を前記マイクロホンが感知するとともに、感知された音に基づいて前記制御部により発光体を発光させるようにしている。
本発明によれば、イベントが行われる会場ではマイクロホンが感知できる強さで音楽等を実演することにより、会場にある全ての携帯発光装置が一体となって発光させることができる。
【発明の効果】
【００１６】
本発明によれば、ライブコンサート会場やライブビューイング会場のイベント会場において、予め発光態様のデータをプログラミングすることなく、音楽に合わせて発光させることができ、会場全体が一体となった発光による演出効果が可能になる。
【図面の簡単な説明】
【００１７】
【図１】本発明に係る携帯発光装置の構成を示す図である。
【図２】本発明の演出方法の一例を示す図である。
【図３】本発明の第二実施形態の携帯発光装置における音圧レベルと発光輝度との関係を示す図である。
【発明を実施するための形態】
【００１８】
（実施形態１）
以下において、本発明に係る携帯発光装置について説明する。図１は本発明の一実施態様であるリストバンドの構成を示す図である。
リストバンドＡは本体１０と、止め具１１が設けられたバンド１２と、孔１３が形成されたバンド１４とからなり、腕時計のように手首に固定できるようにしてある。
本体１０は蓋つきの薄型プラスチックケースからなり、ＬＥＤ２１、ＬＥＤ駆動制御回路２２、ボタン電池２３、マイクロホン２４が内蔵してある。
バンド１２，１４にはＴＰＥ樹脂（サーモプラスチックエラストマー樹脂）等の半透明な柔軟性を有する樹脂が用いられ、本体１０の側面に設けた切り欠き部分でバンド１２，１４の一部が本体１０内に挟まれるようにして固定してある。
ＬＥＤ２１は本体１０内でバンド１２，１４の端部に向けて配置され、発光したときにバンド端を照らすようにしてある。よってＬＥＤの発光光は、半透明なバンド１２，１４の内側を乱反射しながら透過するようになり、バンド１２，１４が明るく発光して外部を照らすようにしてある。なお、本体１０に開口窓を設けてＬＥＤの発光光が照射されるようにしてもよい。
【００１９】
ＬＥＤ駆動制御回路２２は、マイクロホン２４で受信した音信号に基づいて点灯信号を発生し、これをＬＥＤ２１に送ってＬＥＤ２１を発光させる制御を行う。
マイクロホン２４は音を感知したとき、ＬＥＤ２１を発光させるための音信号を発生してＬＥＤ駆動制御回路２２に送る。ＬＥＤ駆動制御回路２２には感知できる音圧レベルを調整するために、抵抗器からなる調整機構２２ａが設けられており、これにより、点灯信号を発生する下限レベルが設定される。具体的には小さい物音や話し声をノイズとして除外するため、６５デシベル以上の範囲で下限が設定されるようにしてある。なお、あまり下限値を高く設定すると音楽に対して反応できなくなるおそれがあるため、６５デシベル以上８０デシベル以下で設定するのが望ましい。
【００２０】
電源となるボタン電池２３は、ＬＥＤ２１、ＬＥＤ駆動制御回路２２、マイクロホン２４用のバッテリとして使用される。
【００２１】
次に、上記したリストバンドＡの動作、すなわち、これを用いた演出方法について説明する。本発明のリストバンドＡの使用場所として、ライブビューイング会場となる複合シネマコンプレックスにおける一つの映画館を例にとって説明する。図２に示すように、会場は舞台３１と観客席３２とからなり、舞台３１には遠隔地のライブコンサート会場の映像を映し出す大型画面３３と、その音声や音楽を流すスピーカ３４とが配置されている。観客席３２にはリストバンドＡを装着した観客（図示略）が多数入場している。
【００２２】
ライブコンサートが開始されると、その映像および音声がライブビューイング会場にもリアルタイムで放映される。このとき、ライブコンサート会場からの音声がライブビューイング会場に同期して流れているので、リストバンドＡはライブコンサート会場の映像に映し出されている光るリストバンド等のイベントグッズと同時に明滅するようになり、ライブビューイング会場の観客はライブコンサート会場との一体感を味わうことができる。
【００２３】
そして、ライブコンサート会場においてコンサートの進行中に演奏順や演奏内容が変更されたりするハプニングが生じても、ライブビューイング会場では特に係員が変更のための作業を行うこともなく、変更後の演奏に対応してその音声に対応した発光が行われる。
【００２４】
（実施形態２）
上述したリストバンドＡでは、ＬＥＤ駆動制御回路２２は、マイクロホン２４で受信した音信号が、設定レベル以上の音信号のときに点灯信号を発生し、これをＬＥＤ２１に送ってＬＥＤ２１を発光させている。このときの点灯信号はＬＥＤ２１を一定の発光輝度で点灯させるだけであったが、本実施形態ではマイクロホン２４で受信した音信号の音圧レベルの大きさに応じて、ＬＥＤ２４の発光輝度が変化するように点灯信号の強度を変化させる制御を行うようにする。
図３は、マイクロホン２４が検知する音圧レベルとＬＥＤ２１の発光輝度との関係の一例を示した図である。この場合、点灯する下限の音圧レベルが６８デシベルに設定してあり、これより音圧レベルが大きくなると発光し、順次音圧レベルが大きくなるにつれて発光輝度が高くなり、７５デシベル以上で最大発光輝度となるように制御される。したがって、マイクロホン２４で受ける音楽の音圧レベルに応じて、ＬＥＤ２１の発光輝度がリズミカルに強弱に変化するので、視覚による演出効果がさらに向上することになる。
【００２５】
以上は、リストバンドＡを携帯発光装置に用いた例を示したが、これ以外にもワッペン、ペンライト、団扇などに発光機能を持たせた携帯発光装置を用いてもよい。
また、発光体としてＬＥＤを用いた例を説明したが、有機ＥＬやその他の発光素子であってもよい。
【００２６】
また、以上はライブコンサート会場と同時放映されるライブビューイング会場での使用例について説明したが、本発明はこれ以外の様々なイベント会場でも利用可能である。
例えばライブコンサート会場自体で本発明の携帯発光装置を使用すれば、発光態様のデータを無線通信する係員が不在でも、観客は音楽に合わせた発光態様を実現できる。
また、花火大会の打ち上げ音、結婚式場、カラオケ店、劇場、エアロビクス大会等での音楽演奏に合わせた華やかな演出を行う際にも使用することができる。
【００２７】
その他本発明では、その目的を達成し、請求の範囲を逸脱しない範囲内で適宜修正、変更することが可能である。
【産業上の利用可能性】
【００２８】
本発明は、ライブビューイング会場等の演出に用いられる携帯発光装置およびこれを用いた演出方法に適用される。
【符号の説明】
【００２９】
Ａ  リストバンド（携帯発光装置）
１０  本体
１２，１４  バンド
２１  ＬＥＤ（発光体）
２２  ＬＥＤ駆動制御回路（制御部）
２２ａ  調整機構
２３  ボタン電池（電源）
２４  マイクロホン
３１  舞台
３２  観客席
３３  大型画面
３４  スピーカ
【図１】
2015038820.tif 000003
【図２】
2015038820.tif 000004
【図３】
2015038820.tif 000005